(57)【要約】【課題】ユーザの利便性を損なうことなく多種多様の情報をユーザの要求に応じて画像に付加することが可能なデジタルカメラを提供すること。【解決手段】本発明にかかるデジタルカメラ１は、撮像手段３により撮像された画像をデジタルデータ化する画像処理手段４と、画像処理手段４によりデジタルデータ化された画像に対して、当該画像に関するメモ情報を付加する情報付加手段２と、情報付加手段２によりメモ情報が付加された画像を記録媒体８に記録する画像記録手段７とを備えている。さらに、本発明に係るデジタルカメラ１は、メモ情報の参照先を設定する参照先設定手段２と、参照先設定手段２により設定された参照先に従って複数種類のメモ情報を作成することが可能なメモ情報作成手段２とを備えている。【選択図】  図１
2004336170.tif 000002
【特許請求の範囲】
【請求項１】
撮像手段により撮像された画像をデジタルデータ化する画像処理手段と、
該画像処理手段によりデジタルデータ化された画像に対して、当該画像に関するメモ情報を付加する情報付加手段と、
該情報付加手段により前記メモ情報が付加された画像を記録媒体に記録する画像記録手段とを備えたデジタルカメラにおいて、
前記メモ情報の参照先を設定する参照先設定手段と、
該参照先設定手段により設定された参照先に従って複数種類のメモ情報を作成することが可能なメモ情報作成手段と、
を備えることを特徴とするデジタルカメラ。
【請求項２】
前記参照先設定手段は、メモ情報設定ファイルに基づいて前記参照先の設定を行うことを特徴とする請求項１に記載のデジタルカメラ。
【請求項３】
前記メモ情報の種別を示すためのタグ情報を設定するタグ設定手段を備え、
前記メモ情報作成手段は前記タグ設定手段により設定されたタグ情報に基づいてメモ情報の種別設定を行うことを特徴とする請求項１または請求項２に記載のデジタルカメラ。
【請求項４】
前記タグ設定手段は、メモ情報設定ファイルに基づいて前記タグ情報の設定を行うことを特徴とする請求項３に記載のデジタルカメラ。
【請求項５】
前記メモ情報設定ファイルは、テキストファイル形式で記録されていることを特徴とする請求項２または請求項４に記載のデジタルカメラ。
【請求項６】
前記参照先設定手段は、前記参照先として連続番号を設定することが可能であることを特徴とする請求項１乃至請求項５のいずれか１項に記載のデジタルカメラ。
【請求項７】
前記撮像手段における撮像に関連する情報を撮像情報として検出する撮像情報検出手段を備え、
前記参照先設定手段は、前記撮像情報検出手段により検出された前記撮影情報を参照先として設定することが可能であることを特徴とする請求項１乃至請求項６のいずれか１項に記載のデジタルカメラ。
【請求項８】
前記参照先設定手段は、該情報付加手段により前記メモ情報が付加された画像の直前に撮像された画像、または直前に録音された音声、または直前に録画された動画を参照先として設定することが可能であることを特徴とする請求項１乃至請求項７のいずれか１項に記載のデジタルカメラ。
【請求項９】
前記参照先設定手段は、該情報付加手段により前記メモ情報が付加された画像の直後に撮像される画像、または直前に録音される音声、または直前に録画される動画を参照先として設定することが可能であることを特徴とする請求項１乃至請求項８のいずれか１項に記載のデジタルカメラ。
【請求項１０】
前記参照先設定手段は、該情報付加手段により前記メモ情報が付加された画像に関連付けられた画像、音声、または動画を参照先として設定することが可能であることを特徴とする請求項１乃至請求項９のいずれか１項に記載のデジタルカメラ。
【請求項１１】
前記メモ情報の候補を記録した情報候補リストを作成する情報候補リスト設定手段と
前記情報候補リストよりユーザが候補選択を行うための候補選択手段とを備え、
前記参照先設定手段は、参照先として前記情報候補リストを設定することが可能であり、
前記情報付加手段は、前記参照先設定手段により参照先として前記情報候補リストが設定された場合に、前記候補選択手段により選択された内容を前記メモ情報として前記画像に付加することを特徴とする請求項１乃至請求項１０のいずれか１項に記載のデジタルカメラ。
【請求項１２】
ユーザがデータ入力を行うためのデータ入力手段と、
該データ入力手段により入力されたデータに基づいてテキストデータファイルを作成するテキストデータ作成手段とを備え、
前記参照先設定手段は、参照先として前記テキストデータを設定することが可能であり、
前記情報付加手段は、前記参照先設定手段により参照先として前記テキストデータが設定された場合に、前記データ入力手段により入力された前記テキストデータの内容を前記メモ情報として前記画像に付加することを特徴とする請求項１乃至請求項１１のいずれか１項に記載のデジタルカメラ。
【請求項１３】
前記データ入力手段により入力可能なデータ数が制限されていることを特徴とする請求項１２に記載のデジタルカメラ。
【発明の詳細な説明】
【０００１】
【発明の属する技術分野】
本発明は、撮像手段により撮像された画像をデジタルデータ化する画像処理手段と、デジタル化された画像に対して、該画像に関するメモ情報を付加する情報付加手段と、メモ情報が付加された画像を記録媒体に記録する画像記録手段とを備えたデジタルカメラに関する。
【０００２】
【従来の技術】
デジタルカメラは、撮像された画像に対して、撮像した日付、画像の大きさ等の画像に関する情報を付加することが可能となっている（Ｅｘｉｆ形式の画像フォーマット等参照）。さらに、今日では、撮像された画像の分類・管理を容易にするために、画像にテキストメモや音声等の情報を関連付けて記録するデジタルカメラが知られている（非特許文献１参照）。
【０００３】
【非特許文献１】
株式会社リコー  ＲＤＣ−ｉ７００使用説明書（２０００年９月）  第９７頁、第９８頁参照。
【０００４】
【発明が解決しようとする課題】
しかしながら、デジタルカメラで撮像された画像の分類・管理方法は、ユーザの撮像目的等に応じて多種多様であるため、一律の情報を各画像に付加するだけではユーザの要望に応えることが困難であるといる問題があった。
【０００５】
また、ユーザの要望に応じるために、画像毎に分類・管理を行うための情報を各々設定して付加させる場合には、ユーザが画像毎に１つ１つ情報を入力しなくていけないので手間がかかってしまい利便性を損なうという問題があった。
【０００６】
本発明は、上記の課題に鑑みてなされたものであり、ユーザの利便性を損なうことなく多種多様の情報をユーザの要求に応じて画像に付加することが可能なデジタルカメラを提供することを課題とする。
【０００７】
【課題を解決するための手段】
上記課題を解決するために請求項１に係る発明は、撮像手段により撮像された画像をデジタルデータ化する画像処理手段と、該画像処理手段によりデジタルデータ化された画像に対して、当該画像に関するメモ情報を付加する情報付加手段と、該情報付加手段により前記メモ情報が付加された画像を記録媒体に記録する画像記録手段とを備えたデジタルカメラにおいて、前記メモ情報の参照先を設定する参照先設定手段と、該参照先設定手段により設定された参照先に従って複数種類のメモ情報を作成することが可能なメモ情報作成手段とを備えるデジタルカメラであることを特徴とする。
【０００８】
請求項２に係る発明は、請求項１に記載のデジタルカメラにおいて、前記参照先設定手段が、メモ情報設定ファイルに基づいて前記参照先の設定を行うことを特徴とする。
【０００９】
請求項３に係る発明は、請求項１または請求項２に記載のデジタルカメラにおいて、前記メモ情報の種別を示すためのタグ情報を設定するタグ設定手段を備え、前記メモ情報作成手段は前記タグ設定手段により設定されたタグ情報に基づいてメモ情報の種別設定を行うことを特徴とする。
【００１０】
請求項４に係る発明は、請求項３に記載のデジタルカメラにおいて、前記タグ設定手段が、メモ情報設定ファイルに基づいて前記タグ情報の設定を行うことを特徴とする。
【００１１】
請求項５に係る発明は、請求項２または請求項４に記載のデジタルカメラにおいて、前記メモ情報設定ファイルが、テキストファイル形式で記録されていることを特徴とする。
【００１２】
請求項６に係る発明は、請求項１乃至請求項５のいずれか１項に記載のデジタルカメラにおいて、前記参照先設定手段が、前記参照先として連続番号を設定することが可能であることを特徴とする。
【００１３】
請求項７に係る発明は、請求項１乃至請求項６のいずれか１項に記載のデジタルカメラにおいて、前記撮像手段における撮像に関連する情報を撮像情報として検出する撮像情報検出手段を備え、前記参照先設定手段が、前記撮像情報検出手段により検出された前記撮影情報を参照先として設定することが可能であることを特徴とする。
【００１４】
請求項８に係る発明は、請求項１乃至請求項７のいずれか１項に記載のデジタルカメラにおいて、前記参照先設定手段が、該情報付加手段により前記メモ情報が付加された画像の直前に撮像された画像、または直前に録音された音声、または直前に録画された動画を参照先として設定することが可能であることを特徴とする。
【００１５】
請求項９に係る発明は、請求項１乃至請求項８のいずれか１項に記載のデジタルカメラにおいて、前記参照先設定手段が、該情報付加手段により前記メモ情報が付加された画像の直後に撮像される画像、または直前に録音される音声、または直前に録画される動画を参照先として設定することが可能であることを特徴とする。
【００１６】
請求項１０に係る発明は、請求項１乃至請求項９のいずれか１項に記載のデジタルカメラにおいて、前記参照先設定手段が、該情報付加手段により前記メモ情報が付加された画像に関連付けられた画像、音声、または動画を参照先として設定することが可能であることを特徴とする。
【００１７】
請求項１１に係る発明は、請求項１乃至請求項１０のいずれか１項に記載のデジタルカメラにおいて、前記メモ情報の候補を記録した情報候補リストを作成する情報候補リスト設定手段と、前記情報候補リストよりユーザが候補選択を行うための候補選択手段とを備え、前記参照先設定手段は、参照先として前記情報候補リストを設定することが可能であり、前記情報付加手段は、前記参照先設定手段により参照先として前記情報候補リストが設定された場合に、前記候補選択手段により選択された内容を前記メモ情報として前記画像に付加することを特徴とする。
【００１８】
請求項１２に係る発明は、請求項１乃至請求項１１のいずれか１項に記載のデジタルカメラにおいて、ユーザがデータ入力を行うためのデータ入力手段と、該データ入力手段により入力されたデータに基づいてテキストデータファイルを作成するテキストデータ作成手段とを備え、前記参照先設定手段は、参照先として前記テキストデータを設定することが可能であり、前記情報付加手段は、前記参照先設定手段により参照先として前記テキストデータが設定された場合に、前記データ入力手段により入力された前記テキストデータの内容を前記メモ情報として前記画像に付加することを特徴とする。
【００１９】
請求項１３に係る発明は、請求項１２に記載のデジタルカメラにおいて、前記データ入力手段により入力可能なデータ数が制限されていることを特徴とする。
【００２０】
【発明の実施の形態】
以下、本発明に係るデジタルカメラを、図面を用いて説明する。
【００２１】
本発明に係るデジタルカメラ１は、図１に示すように、システム制御部２と、撮像部３と、画像処理部４と、表示制御部５と、ＬＣＤ６と、記録メディアインターフェイス部７と、記録メディア８と、ハードキーインターフェイス部９と、ＧＰＳアンテナ部１０とを備えている。
【００２２】
システム制御部２は、デジタルカメラ１全体の制御を行う役割を有するものであり、メインＣＰＵ、メモリ、タイマ−等を備えている。
【００２３】
撮像部３は、対象物を撮像してデジタルデータ化する役割を有いており、光学系部品（レンズ及びレンズ駆動モータ）、ＣＣＤ、ＣＣＤ駆動回路、Ａ／Ｄ変換器等を備えている。
【００２４】
画像処理部４は、撮像部３でデジタルデータ化された画像に種々の画像処理を施すとともに、撮像部３のＣＣＤの駆動タイミングの調整、レンズの駆動モータ制御等を行うことによってフォーカシング、露出調整等を行う。また、画像処理部４は、画像処理用ＤＳＰ（デジタルシグナルプロセッサ）、メモリ等を備えており、画像処理用ＤＳＰにより画像の圧縮伸長等を行う。
【００２５】
表示制御部５は、画像処理部４で処理された画像をＬＣＤ６へ表示するための信号処理を行う。また、表示制御部５は、Ｄ／Ａ変換器、オンスクリーンディスプレイコントローラ等を備えており、ユーザーインターフェイス用のさまざまなグラフィック画像を生成してＬＣＤ６に表示させる処理を行う。
【００２６】
ＬＣＤ６は、撮像されてデジタルデータ化された画像、及び、表示制御部５で作成されたユーザーインターフェイス用のグラフィック画面を表示する装置である。
【００２７】
記録メディアインターフェイス部７は、メモリカードコントローラを備えており、記録メディア８に対するインターフェイスとしての役割を備えている。
【００２８】
記録メディア８は、圧縮された画像信号や画像に関する情報を記憶する記録媒体であり、例えばスマートメディア（登録商標）、コンパクトフラッシュ（登録商標）、メモリースティック（登録商標）等フラッシュメモリによって構成されている。記録メディア８はデジタルカメラ１に対して着脱可能に取り付けられる構造となっている。本発明に係るデジタルカメラ１の記録メディア８には、後述するメモ情報設定ファイル（ｍｅｍｏｓｅｔ．ｔｘｔ）と、メモデータ候補リストファイル（ｍｅｍｏｌｉｓｔ．ｔｘｔ：情報候補リスト）とが記録されている。
【００２９】
ハードキーインターフェイス部９は、システム制御部２のメインＣＰＵに対する主電源制御を行うために設けられたサブＣＰＵ等によって構成されており、デジタルカメラ１の筐体外部に形成された入力キー、ダイヤル等（図示省略）等の操作状態の検出を行う。
ＧＰＳアンテナ部１０は、デジタルカメラの現在位置を捕捉する位置測定装置として機能する。
【００３０】
次に、上述した構成からなるデジタルカメラの動作処理を、フローチャートを用いて説明する。
【００３１】
図２はデジタルカメラの動作処理を示したフローチャートである。
【００３２】
ユーザは撮像に先立ち、入力キー、ダイヤル等を操作して撮像モード（高画質モード、低画質モード等）の設定を行うことができる。また、ユーザは撮像に先立って、ヘッダメモ情報の設定を行うこともできる。ヘッダメモ情報とは、撮像された画像のヘッダ部に記録されるコメント情報であり、予めユーザが設定を行うことにより画像のヘッダ部にコメントを記録させることが可能となる。
【００３３】
デジタルカメラの設定が撮像可能な状態となると、システム制御部２は、設定された撮像モードをシステム制御部２のメモリに記録する（ステップＳ１）。撮像モードがメモリに記録されると、システム制御部２は、撮像モードに応じて最適な処理パラメータを画像処理部４に設定して画像モードに適した画像処理を行わせる。
【００３４】
さらに、システム制御部２は、記録メディアインターフェイス部７を介して記録メディア８にメモ情報設定ファイルが記録されているか否かの判断を行う（ステップＳ２）。メモ情報設定ファイルが記録されている場合には、図５に示すメモ情報設定処理を実行し、このメモ情報設定処理により作成されたメモ情報をシステム制御部２のメモリに記録する（ステップ３）。また、システム制御部２は、ヘッダメモ情報をシステム制御部２のメモリに記録する（ステップＳ４）。
【００３５】
なお、ユーザにより入力キーやダイヤル等の操作が行われた場合、その操作内容はハードキーインターフェイス部９を通じてシステム制御部２に伝達される。システム制御部２は、ハードキーインターフェイス部９を介して判断された操作内容に応じて表示制御部５にガイダンス用のグラフィック画面を生成させ、生成されたガイダンスグラフィックをＬＣＤ６に表示させることによってユーザに次操作を促す。
【００３６】
次に、ユーザによりズームレバー（図示省略）が操作されると（ステップＳ５）、その操作内容はハードキーインターフェイス部９を通じてシステム制御部２に伝達される。システム制御部２は、伝達された操作内容に応じて撮像部３を制御し、レンズを駆動させる。また、システム制御部２は、画像処理部４を制御して、ＬＣＤ６にプレビュー画面を表示させるための撮像処理を撮像部３に行わせる（ステップＳ６）。
【００３７】
撮像部３で撮像されてデジタルデータ化された画像データは連続的に画像処理部４へ送られる。画像処理部４は、送られてくる画像データの色空間変換、ガンマ補正、ホワイトバランス調整などの処理を施した後、画像データを表示制御部５へ送る。また、この処理と同時に画像処理部４は、フォーカス、露出の検出を行い、撮像部３を制御して撮像機構の調整を行う。
【００３８】
表示制御部５は、画像処理部４より送られてきた画像データを信号処理（アナログ化）してＬＣＤ６へ表示させる（ステップＳ７）。ユーザによりデジタルカメラ１に設けられたレリーズボタン（図示省略）が押されると（ステップＳ８）、その操作内容がハードキーインターフェイス部９を通じてシステム制御部２に伝達される。
【００３９】
システム制御部２は、画像処理部４を制御することによって、撮像部３に対して撮像処理を行わせ、撮像された画面を画像処理部４へ転送させる。画像処理部４では、転送されてきた画像を、撮像モードに応じて画像処理し、さらに必要に応じて圧縮処理する（ステップＳ９）。
【００４０】
システム制御部２は、圧縮された画像データを読み出し、さらにデジタルカメラ用画像ファイルフォーマット規格（Ｅｘｉｆ形式）に準じたヘッダ情報を付加した後、記録メディアインターフェイス部７を通じて記録メディアへ８に画像データを書き込む（ステップＳ１０）。
【００４１】
ここで、ヘッダ情報には、選択された撮像モードの情報や撮像日時、ズーム位置（焦点距離）、焦点位置（被写体距離）の他、ＧＰＳアンテナ部１０で算出された撮像位置（ＧＰＳ緯度，経度）情報、システム制御２のメモリに記録されたヘッダメモ情報等が含まれている。ヘッダメモ情報は、Ｅｘｉｆ形式の画像フォーマットにおけるヘッダ情報のＵｓｅｒＣｏｍｍｅｎｔの領域に記録される。
【００４２】
その後、デジタルカメラ１の電源がオフされるか処理モードが再生処理モード等に切り替えられることによって撮像可能な状態が終了（撮像終了）するまで（ステップＳ１１）、上述の処理が繰り返される。
【００４３】
次に、上述したメモ情報設定処理を、図３〜図５を用いて説明する。
記録メディア８にメモ情報設定ファイルが記録されていた場合、例えば、記録メディア８のルートディレクトリにｍｅｍｏｓｅｔ．ｔｘｔというファイルが記録されている場合、システム制御部２は、記録メディアインターフェイス部７を介してメモ情報設定ファイルを読み込み、デジタルカメラ１による撮像可能状態が終了するまでシステム制御２のメモリ上にそのデータを記録しておく。
【００４４】
図３は、メモ情報設定ファイルの一例を示した図である。図３において、符号３−１は各メモ情報を参照するためのインデックス項目を示したものであり、記録される文字列は任意のものとなる。符号３−２はメモ情報の内容を示すタグ項目であり、ｔｅｘｔはメモ情報の内容がテキスト文字列であることを示し、ｐｉｃｔは関連する静止画像ファイルが存在することを示し、ｍｏｖｉｅは関連する動画像ファイルが存在することを示し、ｖｏｉｃｅは関連する音声ファイルが存在することを示している。符号３−３はメモ情報の参照先と固定の埋め込みデータとを示す参照先項目を示している。
【００４５】
また、符号３−４は連続番号の指定方法の一例を示しており、”撮像テスト番号／”で示すダブルクォーテーション内は接頭文字として連続番号に共通して付される文字列を示し、％ｎｕｍ％には連続番号情報が番号順に入力される。連続番号情報は、システム制御部２内のメモリに保持されており、撮像後に撮像された画像にメモ情報を付加する際に昇順に加算され、１０進数の値としてメモ情報に展開される。なお、連続番号情報は必ずしも昇順である必要はなく降順であっても良い。また、連続番号情報は、ユーザの操作により初期化することが可能であり、初期化が行われると連続番号情報が初期値１に設定される。
【００４６】
さらに、符号３−５は符号３−４と同様に接頭文字として共通に付される文字列に対してユーザにより入力された文字データが所定字数制限内で入力されることを示している。具体的には、％ｉｎｐｕｔ＄１０％のうち、％ｉｎｐｕｔ％が任意に入力されるテキスト入力情報を示し、＄１０がその際の文字数制限を示している。％ｉｎｐｕｔ＄１０％の場合には、データ換算で１０バイトまでのテキスト入力が可能であることを示している。符号３−６の％ｌｉｓｔ％は、メモデータ候補リストに記録される選択候補の中から選択されたデータが展開されることを示している。
【００４７】
符号３−７は符号３−４と同様に接頭文字として共通に付される文字列”日時／”の後に、％ｉｍｇｉｎｆｏ＄ＤａｔｅＴｉｍｅ％で示される撮像情報が入力されることを示している。＄ＤａｔｅＴｉｍｅの部分は撮像情報を示しており、Ｅｘｉｆ形式で規定されるヘッダ情報のタグ名称を指定することができる。指定されたタグ名称に従って、撮像情報を参照してタグ名称毎にあらかじめ決められた展開方法に従って展開される。例えば、ＧＰＳ情報を示すＧＰＳＬａｔｉｔｕｄｅ，ＧＰＳＬｏｎｇｉｔｕｄｅといったタグ名称があり、％ｉｍｇｉｎｆｏ＄ＧＰＳＬａｔｉｔｕｄｅ％、％ｉｍｇｉｎｆｏ＄ＧＰＳＬｏｎｇｉｔｕｄｅ％といった記述により指定する事ができる。
【００４８】
符号３−８の％ｐｒｅｖｉｏｕｓ％は、直前に撮像された画像、録音された音声又は録画された動画が参照先として設定されていることを示している。また、符号３−９の％ａｆｔｅｒ％は、直後に撮像された画像、録音された音声又は録画された動画が参照先として設定されていることを示している。また、符号３−１０の％ｒｅｌａｔｉｏｎ％は、画像に関連づけられた音声、テキスト、動画又は画像が参照先として設定されていることを示している。
【００４９】
記録メディア８に記録されるファイルの種別は、そのファイル名称の拡張子で区別される。例えば、テキストファイルは＊．ｔｘｔ、静止画像ファイルは＊．ｊｐｇ、音声ファイルは＊．ｗａｖ、動画像ファイル＊．ｍｏｖと拡張子が定められている。＊部分のファイル名は一例として、”Ｒｉｍｇ００００”等が該当する。”Ｒｉｍｇ００００”の００００部分は、昇順に加算されていく連続番号である。例えば、静止画ファイルが撮像された場合には順番に、Ｒｉｍｇ０００１．ｊｐｇ、Ｒｉｍｇ０００２．ｊｐｇ、とファイル名が名付けられる。
【００５０】
システム制御部２は、デジタルカメラの起動時に、記憶メディア８に記録されているファイルを検索し、ファイル種別毎にファイル名に記録されている連続番号の最大値を判別する。その後、撮像処理により新しい画像等が記憶メディア８に記録される場合には、最大番号＋１の連続番号をファイル名に用いる。関連付けされたファイルの名称は、”ＲｉｍｇＲｅｌ００００”で、００００部分は関連づけの元ファイルの番号が引き継がれる。例えば、静止画像Ｒｉｍｇ００１０．ｊｐｇに関連付けられた音声ファイルの名称は、ＲｉｍｇＲｅｌ００１０．ｗａｖとなる。なお、ここでいう関連付けは、一般的なデジタルカメラにおいて既に具備している機能（非特許文献１参照）であり、管理、分類の目的でメモ情報内に記載されるファイル名称の情報とは独立したものである。
【００５１】
符号３−１１は、画像データに付加されるメモ情報の並び順と各項目のセパレータとを示したものであり、フォーマット指定を示す”ｍｅｍｏ”に続いて各インデックス項目及びセパレータ（図３においては”；”と”，”とで示されている）が羅列されたものである。
【００５２】
図４は、図３に示したメモ情報設定ファイルに基づいて作成されたメモ情報であって、付加される画像ファイルがＲｉｍｇ００１１．ｊｐｇの場合を示したメモ情報の一例である。
【００５３】
次に、メモ情報設置処理を図５に示すフローチャートを用いて説明する。
【００５４】
メモ情報設置処理において、システム制御部２は、メモ情報設定ファイルの内容を解析する。システム制御部２は、３−１１のフォーマット指定で使用されているインデックス項目の参照先項目に、％ｌｉｓｔ％の指定があるか否かを判別する（ステップＳ２０）。％ｌｉｓｔ％の指定がある場合には、システム制御部２は、記録メディアインターフェイス部７を介して、記録メディア８内にメモデータ候補リストファイル（ｍｅｍｏｌｉｓｔ．ｔｘｔ）があるか否かを判別する（ステップＳ２１）。
メモデータ候補リストファイルは、あらかじめ定められたディレクトリに記録される決められたファイルであり、本実施例では記録メディア８内のルートディレクトリに記録されるｍｅｍｏｌｉｓｔ．ｔｘｔがこれに該当する。メモデータ候補リストファイルには、候補とするメモデータがカンマ区切りで羅列されており、例えば”海，山，河，町”といったデータが格納されている。
【００５５】
システム制御部２は、メモデータ候補リストファイルを記録メディア８より検出すると、記録メディアインターフェイス７を介してそのデータを読み込み、また、前述した処理によりユーザに選択候補の内容と、選択候補からの選択を促すガイダンス用のグラフィック画面を作成してＬＥＤ６に表示させる。その後、システム制御部２は、ハードキーインターフェイス部９を介してユーザの操作内容を解析し、選択された選択候補を特定する（ステップＳ２２）。
【００５６】
さらに、システム制御部２は、メモ情報設定ファイルの中身を解析して、符号３−１１のフォーマット指定で使用されているインデックス項目の参照先に、％ｉｎｐｕｔ％の指定があるか否かを判別する（ステップＳ２３）。％ｉｎｐｕｔ％の指定がある場合、システム制御部２は、前述した処理によりユーザにテキストの入力を促すガイダンス用のグラフィック画面を作成してＬＥＤ６に表示させ、ユーザの操作を解析して入力されたテキストデータを特定する（ステップＳ２４））。このとき前述した文字数制限の指定があった場合には、システム制御部２は制限文字数以上の文字が入力できないようにガイダンス用のグラフィック画面を生成して入力可能な文字数を制限文字数以内に制限する。
【００５７】
このような処理を行うことにより、システム制御部２は、メモデータ候補リストの選択情報（ステップＳ２２）、テキストデータ（ステップＳ２４）、撮像情報、ファイル種別ごとのファイル名等を参照して撮像する画像毎にメモ情報を作成し、作成されたメモ情報をシステム制御部２のメモリに記録して（ステップＳ２５）、メモ情報設定処理を終了する。
【００５８】
以上説明したように本発明に係るデジタルカメラは、各画像に付加されるメモ情報をメモ情報設定ファイルに記録される参照先に従って作成できるので、様々な形態のメモ情報を作成することが可能となる。このため、各画像に付加させるメモ情報として、ユーザが画像を分類・管理するために必要と思う内容を設定することができ、ユーザの目的にあったメモ情報を容易に作成することが可能となる。
【００５９】
また、作成されたメモ情報は、関連するファイルの参照先を設定することができるので、様々な形態のメモ情報を作成することができる。
【００６０】
さらに、メモ情報設定ファイルにおいてメモ情報の種別を示すタグを設定することが可能であるため、メモ情報の内容を構造的に指定することが可能となる。例えば、画像に対して画像を縮小して埋め込んだり、音声を指定形式で圧縮して埋め込んだりすることができる。
【００６１】
各画像に付加されるメモ情報が記録メディアに記録されたメモ情報設定ファイルにより特定されるので、メモ情報設定ファイルを配布することによって同一メモ情報の作成方法を容易に配布することができ、また同一作成方法で作成されたメモ情報を他の画像に付加させることが容易となる。
【００６２】
また、メモ情報設定ファイルがテキスト形式で記述されているので、その内容の設定・変更を容易に行うことができる。さらに、メモ情報設定ファイルの記載方法に応じて、メモ情報として連続番号を附することができるので、いちいちユーザが使用済の番号を把握することなく番号を連続的に附することができるという効果がある。
【００６３】
さらに、メモ情報設定ファイルの内容に応じて、メモ情報として様々データを画像に付加することができるので、撮像時刻や撮像場所等のように、ユーザが直接入力キーやダイヤル等を操作する必要のない情報を自動的にメモ情報として記録させることが可能となる。
【００６４】
また、メモ情報として撮像された画像の直前又は直後の動画像ファイル、音声ファイル等を関連するファイルとして指定することができるので、ユーザが動画像ファイルや音声ファイル等のファイル名やコマ番号等を意識することなく、関連するファイルを指定することが可能となる。さらに、この関連ファイルを画像ファイルの分類・管理用のファイルとして用いることもできるので、関連するファイル毎に画像ファイルをインデックス化する等の分類方法を用いて関連ファイルを活用することが可能となる。また、この関連するファイルは撮像された画像の直前又は直後だけでなく、従来のデジタルカメラにおいて利用されている関連付け方法（非特許文献１参照）等をさらに利用することによって同様に関連するファイルに基づく分類・管理を容易に行うことが可能となる。
【００６５】
記録メディア８にメモデータ候補リストファイルを記録することにより、メモ情報設定ファイルに基づいて、ユーザがメモデータ候補リストファイルより選択候補を選択してメモ情報を作成することが可能となるので、ユーザがメモ情報用のデータ入力を行う際に生じる負担を低減させることが可能となる。
【００６６】
また、メモ情報をテキスト入力で行うことができるので、ユーザが自由なキーワードを情報として入力することができる。さらに、入力させるテキスト文字の入力文字数を制限することができるので、画像の分類・管理の目的でメモ情報を設定する際に分類・管理処理に適した、または処理に影響を与えない範囲にメモ情報を制限することが可能となる。
【００６７】
以上、本発明に係るデジタルカメラを、実施例を用いて説明したが、本発明に係るデジタルカメラは上述した内容に限定されるものではない、例えば、実施例において、メモ情報設定ファイルが記録メディア８のルートディレクトリに記録されている場合を説明したが、メモ情報設定ファイルは記録メディアに必ずしも記録されている必要はなく、システム制御部２のメモリに記録されている場合であっても、本発明に特有の効果を奏することが可能である。
【００６８】
【発明の効果】
以上説明したように、請求項１に記載のデジタルカメラを用いることによって、画像に付加されるメモ情報を参照先設定手段により設定された参照先に従って作成できるので、様々な形態のメモ情報を容易に作成することが可能となる。このため、画像に付加させるメモ情報の内容を、ユーザが画像を分類・管理するために必要と思う内容とすることができ、ユーザの目的にあったメモ情報を容易に作成することが可能となる。
【００６９】
また、請求項２に記載したデジタルカメラでは、参照先設定手段がメモ情報設定ファイルに基づいてメモ情報を作成することにより、画像に付加されるメモ情報がメモ情報設定ファイルにより特定されるので、メモ情報設定ファイルを配布することによって同一メモ情報の作成方法を容易に配布することができ、また同一作成方法で作成されたメモ情報を他の画像に容易に付加させることが可能となる。
【００７０】
さらに請求項３に記載したデジタルカメラでは、メモ情報の種別を示すタグ情報を設定することが可能であるため、メモ情報の内容を構造的に指定することが可能となる。
【００７１】
また、請求項４に記載のデジタルカメラでは、画像に付加されるメモ情報の種別（タグ情報）がメモ情報設定ファイルに基づいて設定されるので、メモ情報設定ファイルを配布することによって同一の種別からなるメモ情報の作成方法を容易に配布することができ、また同一の種別により作成されたメモ情報を他の画像に容易に付加させることが可能となる。
【００７２】
請求項５に記載のデジタルカメラでは、メモ情報設定ファイルがテキスト形式で記述されているので、その内容の設定・変更を容易に行うことができる。
【００７３】
請求項６に記載のデジタルカメラでは、メモ情報として連続番号を附することができるので、いちいちユーザが使用済の番号を把握することなく番号を連続的に附することができる。
【００７４】
請求項７に記載のデジタルカメラでは、撮像情報を参照先として設定することができるので、メモ情報に撮像時刻や撮像場所等のように、ユーザが直接入力キーやダイヤル等を操作する必要のない撮像情報を自動的に記録させることが可能となる。
【００７５】
請求項８、９に記載のデジタルカメラでは、メモ情報が付加される画像の直前又は直後に撮像等がされた動画像ファイル、音声ファイル等を参照先として設定することができるので、ユーザが動画像ファイルや音声ファイル等のファイル名やコマ番号等を意識することなく、メモ情報に関連付けることが可能となる。さらに、この関連付けられたファイルを画像ファイルの分類・管理用のファイルとして用いることもできるので、関連するファイル毎に画像ファイルをインデックス化する等の分類方法を用いて関連付けられたファイルを活用することが可能となる。また、請求項１０に記載のデジタルカメラでは、関連するファイルは撮像された画像の直前又は直後以外のファイルを関連付けてファイルの分類・管理を行うことが可能となる。
【００７６】
請求項１１に記載のデジタルカメラでは、ユーザが情報候補リストより選択候補を選択してメモ情報を作成することが可能となるので、ユーザがメモ情報用のデータ入力を行う際に生じる負担を低減させることが可能となる。
【００７７】
また、請求項１２に記載のデジタルカメラでは、メモ情報をテキスト入力で設定することができるので、ユーザが自由なキーワードを用いてメモ情報を作成することができ、さらに、請求項１３に記載のデジタルカメラでは、入力可能なデータ数が制限されるので、メモ情報の内容を、画像の分類・管理処理に適したものとし、またはメモ情報の内容が処理に不適当な内容とならないようにすることが可能となる。
【図面の簡単な説明】
【図１】本発明に係るデジタルカメラの構造を示したブロック図である。
【図２】本発明に係るデジタルカメラの動作処理を示したフローチャートである。
【図３】メモ情報設定ファイルの内容を示した図である。
【図４】図３に示したメモ情報設定ファイルを用いて作成されたメモ情報の一例を示した図である。
【図５】メモ情報設定処理を示したフローチャートである。
【符号の説明】
１  デジタルカメラ
２  システム制御部（情報付加手段、参照先設定手段、メモ情報作成手段、タグ設定手段、撮像情報検出手段、情報候補リスト設定手段、テキストデータ作成手段）
３  撮像部（撮像手段）
４  画像処理部（画像処理手段）
５  表示制御部
６  ＬＣＤ
７  記録メディアインターフェイス部（画像記録手段）
８  記録メディア（記録媒体）
９  ハードキーインターフェイス部（候補選択手段、データ入力手段）
１０  ＧＰＳアンテナ部
【図１】
2004336170.tif 000003
【図２】
2004336170.tif 000004
【図３】
2004336170.tif 000005
【図４】
2004336170.tif 000006
【図５】
2004336170.tif 000007